【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
ネットワークを介して接続された複数の画像処理装置を連携させてジョブを実行可能であり、該ジョブにおいて、画像データを入力する第１の画像処理装置と、入力された前記画像データに従って画像を出力する第２の画像処理装置とを備える画像処理システムであって、
前記第１の画像処理装置は、
前記第２の画像処理装置の処理能力を示す機能情報を該第２の画像処理装置から取得する第１の取得手段と、
前記取得した機能情報及び前記第１の画像処理装置の機能情報に基づいて、前記ジョブを実行する際の設定に機能制限を設ける必要があるか否かを判定する判定手段と、
前記判定手段の判定結果に従って前記ジョブの設定画面の表示内容を制限し、前記第１の画像処理装置に備えられる表示装置に該設定画面を表示させる表示制御手段と、
前記設定画面を介して入力された情報に従って前記ジョブの設定を決定する決定手段と、
前記決定されたジョブの設定及び前記画像データを前記第２の画像処理装置に送信する送信手段とを備え、
前記第２の画像処理装置は、
前記送信されたジョブの設定及び前記画像データに従って画像を出力する出力手段を備えることを特徴とする画像処理システム。
【請求項２】
ネットワークを介して接続された複数の画像処理装置を連携させてジョブを実行可能であり、該ジョブを実行する際の機能を制限するサーバと、前記ジョブにおいて、画像データを入力する第１の画像処理装置と、入力された前記画像データに従って画像を出力する第２の画像処理装置とを備える画像処理システムであって、
前記サーバは、
前記第１の画像処理装置から通知されるジョブの情報及び前記第１及び第２の画像処理装置の機能情報に基づいて、前記ジョブを実行する際の機能制限情報を生成する生成手段を備え、
前記第１の画像処理装置は、
前記第２の画像処理装置の処理能力を示す機能情報を該第２の画像処理装置から取得する第１の取得手段と、
前記ジョブの情報及び前記第１及び第２の画像処理装置の機能情報を前記サーバに通知することにより、前記機能制限情報を該サーバから取得する第２の取得手段と、
取得した前記機能制限情報に従って前記ジョブの設定画面の表示内容を制限し、前記第１の画像処理装置に備えられる表示装置に該設定画面を表示させる表示制御手段と、
前記設定画面を介して入力された情報に従って前記ジョブの設定を決定する決定手段と、
前記決定されたジョブの設定及び前記画像データを前記第２の画像処理装置に送信する送信手段とを備え、
前記第２の画像処理装置は、
前記送信されたジョブの設定及び前記画像データに従って画像を出力する出力手段を備えることを特徴とする画像処理システム。
【請求項３】
前記表示制御手段は、
前記画像データを入力するための入力設定を設定する際に、前記第１の画像処理装置が有する操作画面及び操作手順の情報を含む操作情報を参照して、入力設定画面を前記表示装置に表示させ、
前記画像データに従って画像を出力するための出力設定を設定する際に、前記第２の画像処理装置が有する前記操作情報に参照先を切り替えて、出力設定画面を前記表示装置に表示させることを特徴とする請求項１又は２に記載の画像処理システム。
【請求項４】
前記表示制御手段は、
前記画像データを入力するための入力設定を設定する際に、前記第１の画像処理装置が有するプログラムモジュールを実行することにより、入力設定画面を前記表示装置に表示させ、
前記画像データに従って画像を出力するための出力設定を設定する際に、前記第２の画像処理装置が有するプログラムモジュールを取得して実行することにより、出力設定画面を前記表示装置に表示させることを特徴とする請求項１又は２に記載の画像処理システム。
【請求項５】
前記第２の画像処理装置は、
前記第１の画像処理装置から前記機能制限情報を取得する第３の取得手段と、
前記機能制限情報に従って前記ジョブの機能を制限するために、前記第２の画像処理装置が有する操作画面及び操作手順の情報を含む操作情報を変更する変更手段とをさらに備え、
前記表示制御手段は、
前記画像データを入力するための入力設定を設定する際に、前記第１の画像処理装置が有する前記操作情報を参照して、入力設定画面を前記表示装置に表示させ、
前記画像データに従って画像を出力するための出力設定を設定する際に、表示内容を制限することなく、前記第２の画像処理装置が有する前記操作情報に参照先を切り替えて、出力設定画面を前記表示装置に表示させることを特徴とする請求項２に記載の画像処理システム。
【請求項６】
前記第２の画像処理装置は、
前記第１の画像処理装置から前記機能制限情報を取得する第３の取得手段と、
前記機能制限情報に従って前記ジョブの機能を制限するために、前記第２の画像処理装置が有するプログラムモジュールの内容を変更する変更手段とをさらに備え、
前記表示制御手段は、
前記画像データを入力するための入力設定を設定する際に、前記第１の画像処理装置が有するプログラムモジュールを実行することにより、入力設定画面を前記表示装置に表示させ、
前記画像データに従って画像を出力するための出力設定を設定する際に、表示内容を制限することなく、前記第２の画像処理装置が有するプログラムモジュールを取得して実行することにより、出力設定画面を前記表示装置に表示させることを特徴とする請求項２に記載の画像処理システム。
【請求項７】
前記第１の画像処理装置は、
前記出力設定画面を介して入力された出力設定情報を前記第２の画像処理装置から取得する第４の取得手段と、
前記入力設定画面を介して入力された入力設定情報と前記取得した出力設定情報とを合成する合成手段とをさらに備え、
前記決定手段は、
前記合成された情報に従って前記ジョブの設定のうち、入力設定及び出力設定を決定することを特徴とする請求項３乃至６の何れか１項に記載の画像処理システム。
【請求項８】
前記決定手段は、
前記入力設定画面を介して入力された入力設定情報に従って前記ジョブの設定のうち、入力設定のみを決定し、
前記第２の画像処理装置は、
前記出力設定画面を介して入力された出力設定情報を記憶する出力設定記憶手段をさらに備え、
前記出力手段は、
前記送信されたジョブの設定及び前記画像データに加えて、前記出力設定記憶手段に記憶された前記出力設定情報に従って画像を出力することを特徴とする請求項３乃至６の何れか１項に記載の画像処理システム。
【請求項９】
前記第１の画像処理装置は、
前記ジョブに固有のＩＤを割り当てる割り当て手段と、
前記割り当てられたＩＤを前記第２の画像処理装置に通知する通知手段とをさらに備え、
前記送信手段は、
前記割り当てられたＩＤを付加して、前記決定されたジョブの設定及び前記画像データを前記第２の画像処理装置に送信し、
前記出力設定記憶手段には、
前記出力設定情報とともに、当該ジョブに対応する前記ＩＤが記憶され、
前記出力手段は、
前記ＩＤを検索キーワードとして、前記出力設定情報を前記出力設定記憶手段から検索する検索手段を備えることを特徴とする請求項８に記載の画像処理システム。
【請求項１０】
ネットワークを介して接続された複数の画像処理装置を連携させてジョブを実行可能であり、該ジョブにおいて、画像データを入力する第１の画像処理装置と、入力された前記画像データに従って画像を出力する第２の画像処理装置とを備える画像処理システムの制御方法であって、
前記第１の画像処理装置は、
前記第２の画像処理装置の処理能力を示す機能情報を該第２の画像処理装置から取得する第１の取得ステップと、
前記取得した機能情報及び前記第１の画像処理装置の機能情報に基づいて、前記ジョブを実行する際の設定に機能制限を設ける必要があるか否かを判定する判定ステップと、
前記判定ステップの判定結果に従って前記ジョブの設定画面の表示内容を制限し、前記第１の画像処理装置に備えられる表示装置に該設定画面を表示させる表示制御ステップと、
前記設定画面を介して入力された情報に従って前記ジョブの設定を決定する決定ステップと、
前記決定されたジョブの設定及び前記画像データを前記第２の画像処理装置に送信する送信ステップとを実行し、
前記第２の画像処理装置は、
前記送信されたジョブの設定及び前記画像データに従って画像を出力する出力ステップを実行することを特徴とする画像処理システムの制御方法。
【請求項１１】
ネットワークを介して接続された複数の画像処理装置を連携させてジョブを実行可能であり、該ジョブを実行する際の機能を制限するサーバと、前記ジョブにおいて、画像データを入力する第１の画像処理装置と、入力された前記画像データに従って画像を出力する第２の画像処理装置とを備える画像処理システムの制御方法であって、
前記サーバは、
前記第１の画像処理装置から通知されるジョブの情報及び各画像処理装置の機能情報に基づいて、前記ジョブを実行する際の機能制限情報を生成する生成ステップを実行し、
前記第１の画像処理装置は、
前記第２の画像処理装置の処理能力を示す機能情報を該第２の画像処理装置から取得する第１の取得ステップと、
前記ジョブの情報及び前記第１及び第２の画像処理装置の機能情報を前記サーバに通知することにより、前記機能制限情報を該サーバから取得する第２の取得ステップと、
取得した前記機能制限情報に従って前記ジョブの設定画面の表示内容を制限し、前記第１の画像処理装置に備えられる表示装置に該設定画面を表示させる表示制御ステップと、
前記設定画面を介して入力された情報に従って前記ジョブの設定を決定する決定ステップと、
前記決定されたジョブの設定及び前記画像データを前記第２の画像処理装置に送信する送信ステップとを実行し、
前記第２の画像処理装置は、
前記送信されたジョブの設定及び前記画像データに従って画像を出力する出力ステップを実行することを特徴とする画像処理システムの制御方法。
【手続補正２】
【補正対象書類名】明細書
【補正対象項目名】０００８
【補正方法】変更
【補正の内容】
【０００８】
本発明は、例えば、ネットワークを介して接続された複数の画像処理装置を連携させてジョブを実行可能であり、ジョブにおいて、画像データを入力する第１の画像処理装置と、入力された画像データに従って画像を出力する第２の画像処理装置とを備える画像処理システムとして実現できる。本画像処理システムにおいて、第１の画像処理装置は、第２の画像処理装置の処理能力を示す機能情報を第２の画像処理装置から取得する第１の取得手段と、取得した機能情報及び第１の画像処理装置の機能情報に基づいて、ジョブを実行する際の設定に機能制限を設ける必要があるか否かを判定する判定手段と、判定手段の判定結果に従ってジョブの設定画面の表示内容を制限し、第１の画像処理装置に備えられる表示装置に設定画面を表示させる表示制御手段と、設定画面を介して入力された情報に従ってジョブの設定を決定する決定手段と、決定されたジョブの設定及び画像データを第２の画像処理装置に送信する送信手段とを備え、第２の画像処理装置は、送信されたジョブの設定及び画像データに従って画像を出力する出力手段を備えることを特徴とする。
【手続補正３】
【補正対象書類名】明細書
【補正対象項目名】０００９
【補正方法】変更
【補正の内容】
【０００９】
また、本発明は、ネットワークを介して接続された複数の画像処理装置を連携させて１つのジョブを実行可能であり、ジョブを実行する際の機能を制限するサーバと、ジョブにおいて、画像データを入力する第１の画像処理装置と、入力された画像データに従って画像を出力する第２の画像処理装置とを備える画像処理システムとして実現できる。本画像処理システムにおいて、サーバは、第１の画像処理装置から通知されるジョブの情報及び各画像処理装置の機能情報に基づいて、ジョブを実行する際の機能制限情報を生成する生成手段を備え、第１の画像処理装置は、第２の画像処理装置の処理能力を示す機能情報を第２の画像処理装置から取得する第１の取得手段と、ジョブの情報及び第１及び第２の画像処理装置の機能情報をサーバに通知することにより、機能制限情報をサーバから取得する第２の取得手段と、取得した機能制限情報に従ってジョブの設定画面の表示内容を制限し、第１の画像処理装置に備えられる表示装置に設定画面を表示させる表示制御手段と、設定画面を介して入力された情報に従ってジョブの設定を決定する決定手段と、決定されたジョブの設定及び画像データを第２の画像処理装置に送信する送信手段とを備え、第２の画像処理装置は、送信されたジョブの設定及び画像データに従って画像を出力する出力手段を備えることを特徴とする。
【手続補正４】
【補正対象書類名】明細書
【補正対象項目名】００１０
【補正方法】変更
【補正の内容】
【００１０】
本発明は、例えば、ネットワークを介して接続された複数の画像処理装置を連携させてジョブを実行し、ジョブにおいて、画像データを入力する第１の画像処理装置と、入力された画像データに従って画像を出力する第２の画像処理装置とを備える画像処理システムの制御方法として実現できる。本画像処理システムの制御方法において、第１の画像処理装置は、第２の画像処理装置の処理能力を示す機能情報を第２の画像処理装置から取得する第１の取得ステップと、取得した機能情報及び第１の画像処理装置の機能情報に基づいて、ジョブを実行する際の設定に機能制限を設ける必要があるか否かを判定する判定ステップと、判定ステップの判定結果に従ってジョブの設定画面の表示内容を制限し、第１の画像処理装置に備えられる表示装置に設定画面を表示させる表示制御ステップと、設定画面を介して入力された情報に従ってジョブの設定を決定する決定ステップと、決定されたジョブの設定及び画像データを第２の画像処理装置に送信する送信ステップとを実行し、第２の画像処理装置は、送信されたジョブの設定及び画像データに従って画像を出力する出力ステップを実行することを特徴とする。
【手続補正５】
【補正対象書類名】明細書
【補正対象項目名】００１１
【補正方法】変更
【補正の内容】
【００１１】
また、本発明は、ネットワークを介して接続された複数の画像処理装置を連携させてジョブを実行し、ジョブを実行する際の機能を制限するサーバと、ジョブにおいて、画像データを入力する第１の画像処理装置と、入力された画像データに従って画像を出力する第２の画像処理装置とを備える画像処理システムの制御方法として実現できる。本画像処理システムの制御方法において、サーバは、第１の画像処理装置から通知されるジョブの情報及び各画像処理装置の機能情報に基づいて、ジョブを実行する際の機能制限情報を生成する生成ステップを実行し、第１の画像処理装置は、第２の画像処理装置の処理能力を示す機能情報を第２の画像処理装置から取得する第１の取得ステップと、ジョブの情報及び第１及び第２の画像処理装置の機能情報をサーバに通知することにより、機能制限情報をサーバから取得する第２の取得ステップと、取得した機能制限情報に従ってジョブの設定画面の表示内容を制限し、第１の画像処理装置に備えられる表示装置に設定画面を表示させる表示制御ステップと、設定画面を介して入力された情報に従ってジョブの設定を決定する決定ステップと、決定されたジョブの設定及び画像データを第２の画像処理装置に送信する送信ステップとを実行し、第２の画像処理装置は、送信されたジョブの設定及び画像データに従って画像を出力する出力ステップを実行することを特徴とする。